【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
差動フィルタであって、第１の入力端（１１，３１，５１，７１，９１）と、第２の入力端（１２，３２，５２，７２，９２）と、第１の出力端（１３，３３，５３，７３，９３）と、第２の出力端（１４，３４，５４，７４，９４）と、第１の入力端と第２の入力端と第１の出力端と第２の出力端に結合した複数の音響共振子（１６乃至２４，３６乃至４５，５６乃至６７，７６乃至８７，９６乃至１０７）で、格子構造とフルラダー構造とハーフラダー対構造のうちの少なくとも２つを形成するよう配設した前記音響共振子と、を備える、差動フィルタ。
【請求項２】
請求項１記載の差動フィルタであって、各音響共振子（１６乃至２４，３６乃至４５，５６乃至６７，７６乃至８７，９６乃至１０７）は、薄膜バルク音響共振器（ＦＢＡＲ）である、差動フィルタ。
【請求項３】
請求項１記載の差動フィルタであって、各音響共振子（１６乃至２４，３６乃至４５，５６乃至６７，７６乃至８７，９６乃至１０７）は、表面弾性波（ＳＡＷ）素子である、差動フィルタ。
【請求項４】
請求項１記載の差動フィルタであって、複数の音響共振子（１６乃至２４，３６乃至４５，５６乃至６７，７６乃至８７，９６乃至１０７）に結合した基準電圧入力端（１５）を備え、当該複数の音響共振子が、第１の入力端（１１）と第１の接続点（２８）の間に接続した第１音響共振子（１６）と、第１の入力端（１１）と第２の接続点（２９）の間に接続した第２音響共振子（１７）と、第２の入力端（１２）と第１の接続点（２８）の間に接続した第３音響共振子（１８）と、第２の入力端（１２）と第２の接続点（２９）の間に接続した第４音響共振子（１９）と、第１の接続点（２８）と第２の接続点（２９）の間に接続した第５音響共振子（２０）と、第１の出力端（１３）と第１の接続点（２８）の間に接続した第６音響共振子（２１）と、第２の出力端（１４）と第２の接続点（２９）の間に接続した第７音響共振子（２２）と、第１の出力端（１３）と基準電圧入力端（１５）の間に接続した第８音響共振子（２３）と、第２の出力端（１４）と基準電圧入力端（１５）の間に接続した第９音響共振子（２４）を含む、差動フィルタ。
【請求項５】
請求項１記載の差動フィルタであって、複数の音響共振子（１６乃至２４，３６乃至４５，５６乃至６７，７６乃至８７，９６乃至１０７）に結合した基準電圧入力端（１５）を備え、当該複数の音響共振子が、第１の入力端（９１）と第１の接続点（１０８）の間に接続した第１音響共振子（９６）と、第１の入力端（９１）と第２の接続点（１０９）の間に接続した第２音響共振子（９７）と、第２の入力端（９２）と第１の接続点（１０８）の間に接続した第３音響共振子（９８）と、第２の入力端（９２）と第２の接続点（１０９）の間に接続した第４音響共振子（９９）と、第１の接続点（１０８）と第２の接続点（１０９）の間に接続した第５音響共振子（１００）と、第１の接続点（１０８）と第３の接続点（１１８）の間に接続した第６音響共振子（１０１）と、第２の接続点（１０９）と第４の接続点（１１９）の間に接続した第７音響共振子（１０２）と、第３の接続点（１１８）と第４の接続点（１１９）の間に接続した第８音響共振子（１０３）と、第１の出力端（９３）と第３の接続点（１１８）の間に接続した第９音響共振子（１０４）と、第２の出力端（９４）と第４の接続点（１１９）の間に接続した第１０音響共振子（１０５）と、第１の出力端（９３）と基準電圧入力端（９５）の間に接続した第１１音響共振子（１０６）と、第２の出力端（９４）と基準電圧入力端（９５）の間に接続した第１２音響共振子（１０７）を含む、差動フィルタ。
【請求項６】
請求項１記載の差動フィルタであって、複数の音響共振子（１６乃至２４，３６乃至４５，５６乃至６７，７６乃至８７，９６乃至１０７）が、第１の入力端（１１）と第１の接続点（２８）の間に接続した第１音響共振子（１６）と、第１の入力端（１１）と第２の接続点（２９）の間に接続した第２音響共振子（１７）と、第２の入力端（１２）と第１の接続点（２８）の間に接続した第３音響共振子（１８）と、第２の入力端（１２）と第２の接続点（２９）の間に接続した第４音響共振子（１９）と、第１の接続点（２８）と第２の接続点（２９）の間に接続した第５音響共振子（２０）と、第１の出力端（１３）と第１の接続点（２８）の間に接続した第６音響共振子（２１）と、第２の出力端（１４）と第２の接続点（２９）の間に接続した第７音響共振子（２２）を含む、差動フィルタ。
【請求項７】
請求項１に記載の差動フィルタであって、複数の音響共振子（１６乃至２４，３６乃至４５，５６乃至６７，７６乃至８７，９６乃至１０７）が、第１の入力端（３１）と第１の接続点（４８）の間に接続した第１音響共振子（３６）と、第１の入力端（３１）と第２の接続点（４９）の間に接続した第２音響共振子（３７）と、第２の入力端（３２）と第１の接続点（４８）の間に接続した第３音響共振子（３８）と、第２の入力端（３２）と第２の接続点（４９）の間に接続した第４音響共振子（３９）と、第１の接続点（４８）と第２の接続点（４９）の間に接続した第５音響共振子（４０）と、第１の接続点（４８）と第３の接続点の間に接続した第６音響共振子（４１）と、第２の接続点（４９）と第４の接続点の間に接続した第７音響共振子（４２）と、第３の接続点と第４の接続点の間に接続した第８音響共振子（４３）と、第１の出力端（３３）と第３の接続点の間に接続した第９音響共振子（４４）と、第２の出力端（３４）と第４の接続点の間に接続した第１０音響共振子（４５）を含む、差動フィルタ。
【請求項８】
請求項１記載の差動フィルタであって、複数の音響共振子（１６乃至２４，３６乃至４５，５６乃至６７，７６乃至８７，９６乃至１０７）が、第１の入力端（１１）と第１の接続点（２８）の間に接続した第１音響共振子（１６）と、第１の入力端（１１）と第２の接続点（２９）の間に接続した第２音響共振子（１７）と、第２の入力端（１２）と第１の接続点（２８）の間に接続した第３音響共振子（１８）と、第２の入力端（１２）と第２の接続点（２９）の間に接続した第４音響共振子（１９）と、第１の出力端（１３）と第１の接続点（２８）の間に接続した第５音響共振子（２１）と、第２の出力端（１４）と第２の接続点（２９）の間に接続した第６音響共振子（２２）と、第１の出力端（１３）と基準電圧入力端（１５）の間に接続した第７音響共振子（２３）と、第２の出力端（１４）と基準電圧入力端（１５）の間に接続した第８音響共振子（２４）を含む、差動フィルタ。
【請求項９】
請求項１記載の差動フィルタであって、複数の音響共振子（１６乃至２４，３６乃至４５，５６乃至６７，７６乃至８７，９６乃至１０７）が、第１の入力端（５１）と第１の接続点（６８）の間に接続した第１音響共振子（５６）と、第１の入力端（５１）と第２の接続点（６９）の間に接続した第２音響共振子（５７）と、第２の入力端（５２）と第１の接続点（６８）の間に接続した第３音響共振子（５８）と、第２の入力端（５２）と第２の接続点（６９）の間に接続した第４音響共振子（５９）と、第１の接続点（６８）と第３の接続点の間に接続した第５音響共振子（６０）と、第２の接続点（６９）と第４の接続点の間に接続した第６音響共振子（６１）と、第３の接続点（５１８）と基準電圧入力端（５５）の間に接続した第７音響共振子（６２）と、第４の接続点と基準電圧入力端（５５）の間に接続した第８音響共振子（６３）と、第１の出力端（５３）と第３の接続点の間に接続した第９音響共振子（６４）と、第２の出力端（５４）と第４の接続点の間に接続した第１０音響共振子（６５）と、第１の出力端（５３）と基準電圧入力端（５５）の間に接続した第１１音響共振子（６６）と、第２の出力端（５４）と基準電圧入力端（５５）の間に接続した第１２音響共振子（６７）を含む、差動フィルタ。
【請求項１０】
請求項１に記載の差動フィルタであって、複数の音響共振子（１６乃至２４，３６乃至４５，５６乃至６７，７６乃至８７，９６乃至１０７）が、第１の接続点（２８）と第２の接続点（２９）の間に接続した第１音響共振子（２０）と、第１の出力端（１３）と第１の接続点（２８）の間に接続した第２音響共振子（２１）と、第２の出力端（１４）と第２の接続点（２９）の間に接続した第３音響共振子（２２）と、第１の出力端（１３）と基準電圧入力端（１５）の間に接続した第４音響共振子（２３）と、第２の出力端（１４）と基準電圧入力端（１５）の間に接続した第５音響共振子（２４）を含む、差動フィルタ。
【請求項１１】
請求項１に記載の差動フィルタであって、複数の音響共振子（１６乃至２４，３６乃至４５，５６乃至６７，７６乃至８７，９６乃至１０７）が、第１の接続点（１０８）と第２の接続点（１０９）の間に接続した第１音響共振子（１００）と、第１の接続点（１０８）と第３の接続点（１１８）の間に接続した第２音響共振子（１０１）と、第２の接続点（１０９）と第４の接続点（１１９）の間に接続した第３音響共振子（１０２）と、第３の接続点（１１８）と第４の接続点（１１９）の間に接続した第４音響共振子（１０３）と、第１の出力端（９３）と第３の接続点（１１８）の間に接続した第５音響共振子（１０４）と、第２の出力端（９４）と第４の接続点（１１９）の間に接続した第６音響共振子（１０５）と、第１の出力端（９３）と基準電圧入力端（９５）の間に接続した第７音響共振子（１０６）と、第２の出力端（９４）と基準電圧入力端（９５）の間に接続した第８音響共振子（１０７）を含む、差動フィルタ。
【請求項１２】
請求項１記載の差動フィルタであって、複数の音響共振子（１６乃至２４，３６乃至４５，５６乃至６７，７６乃至８７，９６乃至１０７）が、第１の入力端（７１）と第２の入力端（７２）の間に接続した第１音響共振子（７６）と、第１の入力端（７１）と第１の接続点（１８８）の間に接続した第２音響共振子（７７）と、第２の入力端（７２）と第２の接続点（１８９）の間に接続した第３音響共振子（７８）と、第１の接続点（１８８）と第２の接続点（１８９）の間に接続した第４音響共振子（７９）と、第３の接続点（８８）と第１の接続点（１８８）の間に接続した第５音響共振子（８０）と、第４の接続点（８９）と第２の接続点（１８９）の間に接続した第６音響共振子（８１）と、第３の接続点（８８）と基準電圧入力端（１５）の間に接続した第７音響共振子（８２）と、第４の接続点（８９）と基準電圧入力端（１５）の間に接続した第８音響共振子（８３）と、第３の接続点（８８）と第１の出力端（１３）の間に接続した第９音響共振子（８４）と、第４の接続点（８９）と第２の出力端（１４）の間に接続した第１０音響共振子（８５）と、第１の出力端（１３）と基準電圧入力端（１５）の間に接続した第１１音響共振子（８６）と、第２の出力端（１４）と基準電圧入力端（１５）の間に接続した第１２音響共振子（８７）を含む、差動フィルタ。